(57)【要約】【課題】パネルの交換が可能でありながら、防火性能の安定性を向上できるドアを提供すること。【解決手段】ドア１は、扉体１０と、ガラスパネル２０と、パネル保持枠３０とを備えている。パネル保持枠３０は、扉体１０に固定される鋼製枠体３１と、前記パネルを室内側から押える脱落防止鋼製金属部３５２を有する押え体３５とを備えている。鋼製枠体３１は、枠基部３２と、室外片部３３と、室内片部３４とを備えている。室内片部３４の延出長さ寸法は、室外片部３３の延出長さ寸法よりも短い。押え体３５は室内片部３４に取外し可能に取り付けされる。ガラスパネル２０は室外側に位置する室外片部３３と室内側に位置する押え体３５の脱落防止鋼製金属部３５２との間に配置される。【選択図】図３
2015140533.tif 000002
【特許請求の範囲】
【請求項１】
扉体と、前記扉体を貫通する開口に取り付けられるパネル保持枠と、前記パネル保持枠に保持されるパネルとを備え、
前記パネル保持枠は、前記扉体に固定される鋼製枠体と、脱落防止鋼製金属部を有する押え体とを備え、
前記鋼製枠体は、枠基部と、前記枠基部の室外側端部から延出する室外片部と、前記枠基部の室内側端部から延出する室内片部とを有し、
前記室内片部の延出長さ寸法は、前記室外片部の延出長さ寸法よりも短くされ、
前記押え体は、前記室内片部に取外し可能に取り付けられ、
前記パネルは、前記パネルの室外側に位置する室外片部と室内側に位置する前記押え体の脱落防止鋼製金属部との間に配置される
ことを特徴とするドア。
【請求項２】
請求項１に記載のドアにおいて、
前記押え体は、前記室内片部に対し熱遮断部材を介して取り付けられる
ことを特徴とするドア。
【請求項３】
請求項１または請求項２に記載のドアにおいて、
前記押え体は、前記パネルの室内面に当接するビードを保持する室内側押え部材と、前記室内側押え部材に沿って形成された前記脱落防止鋼製金属部とを一体の鋼製体として備え、
前記一体の鋼製体としての前記室内側押え部材および前記脱落防止鋼製金属部は、前記室内片部にネジ止めされる
ことを特徴とするドア。
【請求項４】
請求項１から請求項３のいずれかに記載のドアにおいて、
前記扉体は、室外面材と、室内面材と、前記室外面材と前記室内面材との間に設けられた中間体とを備え、
前記パネル保持枠は、室外側押え部材を備え、
前記室外側押え部材は、
前記室外面材と前記室外片部との間に介在されて前記室外面材と前記室外片部との熱伝達を遮断する熱遮断部と、
前記熱遮断部と一体に形成され、前記パネルの室外面に当接する押え部とを有し、
前記室外片部は、前記室外面材に前記熱遮断部を介して固定される
ことを特徴とするドア。
【請求項５】
請求項４に記載のドアにおいて、
前記室外側押え部材は、前記室外面材に当接して前記室外面材および前記室外片部間への水の浸入を防止する止水部を有する
ことを特徴とするドア。
【請求項６】
請求項１から請求項５のいずれかに記載のドアにおいて、
前記室外片部で区画される室外側開口の高さ寸法および幅寸法は、前記パネルの高さ寸法および幅寸法よりも小さく、
前記室内片部で区画される室内側開口の高さ寸法および幅寸法は、前記パネルの高さ寸法および幅寸法よりも大きい
ことを特徴とするドア。
【発明の詳細な説明】
【技術分野】
【０００１】
本発明は、採光用等のパネルを保持するパネル保持枠を備えたドアに関する。
【背景技術】
【０００２】
従来、ガラスパネル等の採光用のパネルが設けられた玄関ドア等のドアが知られている。このようなドアとしては、例えば特許文献１に記載のものがある。特許文献１に記載のドアは、扉体と、扉開口に設けられたパネルユニットとを備えている。パネルユニットは、ガラスパネルと、ガラスパネルを保持するパネル枠体とを備えている。パネル枠体は、アルミ形材製の室外枠部と、この室外枠部に樹脂製のブロックを介してビス止めされた室内枠部とを備えている。かかるドアでは、室内枠部を室外枠部から取り外すことによりガラスパネルの交換が可能である。
【先行技術文献】
【特許文献】
【０００３】
【特許文献１】特開２００９−１４４３８９号公報
【発明の概要】
【発明が解決しようとする課題】
【０００４】
ところで、特許文献１に記載のドアでは、室外枠部がアルミ形材製であるため、火災等において当該室外枠部が焼失してしまった場合、ガラスパネルが保持されなくなって落下し、室内外が連通状態となる可能性がある。従って、安定した防火性能を発揮することが困難である。
また、防火性能を担保すべく、パネル枠体の周囲に鋼製の補強材を増設すると部品点数が多くなり、ガラスパネル周りの構造が複雑となって施工工数も多くなる。
【０００５】
本発明の目的は、パネルの交換が可能でありながら、防火性能の安定性を向上できるドアを提供することにある。
【課題を解決するための手段】
【０００６】
本発明のドアは、扉体と、前記扉体を貫通する開口に取り付けられるパネル保持枠と、前記パネル保持枠に保持されるパネルとを備え、前記パネル保持枠は、前記扉体に固定される鋼製枠体と、脱落防止鋼製金属部を有する押え体とを備え、前記鋼製枠体は、枠基部と、前記枠基部の室外側端部から延出する室外片部と、前記枠基部の室内側端部から延出する室内片部とを有し、前記室内片部の延出長さ寸法は、前記室外片部の延出長さ寸法よりも短くされ、前記押え体は、前記室内片部に取外し可能に取り付けられ、前記パネルは、前記パネルの室外側に位置する室外片部と室内側に位置する前記押え体の脱落防止鋼製金属部との間に配置されることを特徴とする。
【０００７】
このような本発明によれば、パネル保持枠を鋼製枠体と脱落防止鋼製金属部とで構成したので、火災時に焼失する可能性が高いアルミ形材製のパネル枠を用いた場合に比べて、パネル保持枠をパネルの端縁を囲った状態のまま残存させることができる。従って、パネルの脱落なども抑制でき、ドアの防火性能の安定性を向上できる。特に、パネル保持枠は、室外片部および室内片部を備えているので、パネルを室外片部および室内片部間に配置しておくことができる。このため、パネルの脱落をより抑制でき、防火性能の安定性を向上できる。
また、脱落防止鋼製金属部を有する押え体を室内片部に装着することで、パネルを室内側から押えて室外片部と協働してパネルを挟持できる一方、パネル保持枠を構成する鋼製枠体の室内側におけるパネル側への延出長さが短いため、押え体を室内片部から取り外すことで、パネル保持枠で区画される室内側開口の高さ寸法および幅寸法を大きくできる。従って、室内側でパネルの交換を簡単に行うことができる。
なお、パネルは、例えば、ガラスパネル等の透光性を有した採光用パネルによって具体化されるが、このほかにも、模様、色彩等が施された装飾用パネルなどによって具体化されてもよい。
【０００８】
本発明のドアでは、前記押え体は、前記室内片部に対し熱遮断部材を介して取り付けられることが好ましい。
このような構成によれば、室内片部と押え体とが断熱性を有した熱遮断部材によって離隔されるため、パネル保持枠が室内外間の熱橋となることを回避でき、パネル保持枠による防火性能を確保しつつ断熱性能を向上できる。
【０００９】
本発明のドアでは、前記押え体は、前記パネルの室内面に当接するビードを保持する室内側押え部材と、前記室内側押え部材に沿って形成された前記脱落防止鋼製金属部とを一体の鋼製体として備え、前記一体の鋼製体としての前記室内側押え部材および前記脱落防止鋼製金属部は、前記室内片部にネジ止めされることが好ましい。
このような構成によれば、室内片部にネジ止めされた室内側押え部材で区画される室内側開口の高さ寸法および幅寸法を、室内側開口が室内片部で区画される場合の高さ寸法および幅寸法よりも小さくでき、室内側からパネルを確実に押えることができる。
また、火災等において当該室内側押え部材が加熱されても、一体の鋼製体としての室内側押え部材および脱落防止鋼製金属部が室内片部にネジ止めされた状態で残存するため、パネルの室内側からの脱落をより確実に防止でき、防火性能を向上できる。
【００１０】
本発明のドアでは、前記扉体は、室外面材と、室内面材と、前記室外面材と前記室内面材との間に設けられた中間体とを備え、前記パネル保持枠は、室外側押え部材を備え、前記室外側押え部材は、前記室外面材と前記室外片部との間に介在されて前記室外面材と前記室外片部との熱伝達を遮断する熱遮断部と、前記熱遮断部と一体に形成され、前記パネルの室外面に当接する押え部とを有し、前記室外片部は、前記室外面材に前記熱遮断部を介して固定されることが好ましい。
このような構成によれば、室外面材と室外片部とが断熱性を有する熱遮断部によって離隔されるため、パネル保持枠が室内外間の熱橋となることを回避でき、パネル保持枠による防火性能を確保しつつ断熱性能を向上できる。
また、例えば別体の熱遮断部材および押え部材が室外片部側に設置される場合、部品点数が多く、これらを所定位置にそれぞれ設置するために施工工数も多くなる。これに対し、本発明では、室外側押え部材の熱遮断部と押え部とが一体に形成されているため、部品点数を削減でき、一つの部材を所定位置に設置するだけでよいために施工工数をも少なくできる。
【００１１】
本発明のドアでは、前記室外側押え部材は、前記室外面材に当接して前記室外面材および前記室外片部間への水の浸入を防止する止水部を有することが好ましい。
このような構成によれば、熱遮断部および押え部の設置に加え、止水部の所定位置への設置をも一つの部材を設置するだけで簡単に行うことができる。
【００１２】
本発明のドアでは、前記室外片部で区画される室外側開口の高さ寸法および幅寸法は、前記パネルの高さ寸法および幅寸法よりも小さく、前記室内片部で区画される室内側開口の高さ寸法および幅寸法は、前記パネルの高さ寸法および幅寸法よりも大きいことが好ましい。
このような構成によれば、室内側でのパネル交換をさらに簡単に行うことができ、パネル保持枠の小型化も図れる。例えばケンドン式のパネル設置の場合、パネルを一旦持ち上げ、傾動させるためのクリアランスをパネルとパネル保持枠との間に確保する必要があることから、パネル保持枠の小型化が困難である。これに対し、本発明では、パネルを持ち上げたり傾動させたりしなくとも、大きな高さ寸法および幅寸法の室内側開口からパネルをそのまま室内側に引き抜くことができる。このため、パネル交換を簡単にでき、かつ前述したパネルとパネル保持枠とのクリアランスを確保する必要がなく、パネル保持枠の小型化を図ることができる。
【発明の効果】
【００１３】
本発明によれば、パネルの交換が可能でありながら、防火性能の安定性を向上できるドアを提供できる。
【図面の簡単な説明】
【００１４】
【図１】本実施形態に係るドアの室外側からの外観を示す正面図。
【図２】前記ドアの室内側からの外観を示す正面図。
【図３】前記実施形態において、図１中ＩＩＩ―ＩＩＩ線での縦断面図。
【図４】前記実施形態において、図１中ＩＶ―ＩＶ線での横断面図。
【図５】前記ドアの一部を拡大して示す縦断面図。
【図６】前記ドアの一部を拡大して示す横断面図。
【図７】前記ドアの室外側押え部材を示す説明図。
【発明を実施するための形態】
【００１５】
［実施形態の構成］
以下、本発明の実施形態を図面に基づいて説明する。
図１は、玄関ドア（以下、ドア１と略称）の室外側からの外観を示す正面図である。図２は、ドア１の室内側からの外観を示す正面図である。図３は、ドア１を示す縦断面図である。図４は、ドア１を示す横断面図である。図５は、ドア１の一部を拡大して示す縦断面図である。図６は、ドア１の一部を拡大して示す横断面図である。図７は、室外側押え部材３７を示す説明図である。
【００１６】
図１，２に示すように、本実施形態に係るドア１は、外壁開口部に固定される枠体２と、この枠体２に開閉自在に支持される扉３とを備えて構成されている。枠体２は、上枠２Ａ、下枠２Ｂおよび左右の縦枠２Ｃ，２Ｄを有する一般的なドア枠である。なお、図１の右側が吊元側とされて丁番４が取り付けられ、図１の左側が戸先側とされている。
【００１７】
扉３は、扉体１０と、採光用パネルとしてのガラスパネル２０と、パネル保持枠３０と、アルミ押出し形材製の外額縁５１，５２および内額縁５３とを備えている。扉体１０を貫通する開口にはパネル保持枠３０が取り付けられ、ガラスパネル２０はパネル保持枠３０に保持されている。
【００１８】
扉体１０は、図３，４に示すように、枠体１１と、枠体１１の室外側に固定された室外面材１２と、枠体１１の室内側に固定された室内面材１３と、室外面材１２と室内面材１３との間に設けられた中間体１４とを備えている。
中間体１４にはＥＰＳ（発泡ビーズ法ポリスチレン）の断熱材が使用されている。なお、中間体１４には、前述した材質に限られず、例えば、ハニカム材（水酸化アルミハニカム、セラミックハニカム、ペーパーハニカム）、フォーム材（イソシアヌレートフォーム、ウレタンフォーム、フェノール樹脂フォーム）等の断熱材が使用されてもよい。
また、扉体１０の戸先側には、枠体２の戸先側の縦枠２Ｄに当接する気密材が装着された横方向外側への延出部を有した当接部材１５と、図示しない操作ハンドルや施錠装置とが設けられている。
枠体１１は、戸先側の縦骨と、吊元側（丁番側）の縦骨と、上骨と、下骨とを矩形状に組んで構成された一般的な扉用の枠材である。これらの各骨材は、図３，４にも示すように、断面コ字状のチャンネル材で構成され、各骨材間の空間に中間体１４が嵌め込まれている。
【００１９】
室外面材１２の外縁部は、中間体１４の外周側よりも外側で室内側に折り曲げられ、室内面材１３の外縁部は、中間体１４の外周側よりも外側で室外側に折り曲げられ、これら外縁部の折り曲げられた部分に枠体１１がリベット止めされている。
室外面材１２の内縁部は、中間体１４よりもガラスパネル２０側に延出しており、この内縁部にパネル保持枠３０がネジ止めされる。
室内面材１３の内縁部は、中間体１４よりもガラスパネル２０側に延出しておらず、この内縁部の先端は、中間体１４の内側端縁と同位置に配置されている。
【００２０】
ガラスパネル２０は、２枚の矩形状のガラスがスペーサを挟んで重ね合わされた複層ガラスとして構成されている。ガラスパネル２０の上下左右の端縁は、中間体１４から所定間隔離れて配置されている。ガラスパネル２０は中間体１４よりも肉薄であり、室内外方向において室外面材１２よりも室内側かつ室内面材１３よりも室外側に配置されている。
【００２１】
パネル保持枠３０は、図３〜６に示すように、断面形状が同一の四つの鋼製枠体３１を四周枠組みし、これらの鋼製枠体３１の室内側に押え体３５を装着して構成されている。ここで鋼は、鋼板、ステンレス鋼板を含む。また、パネル保持枠３０は、鋼製枠体３１と押え体３５との熱伝達を遮断する熱遮断部材３６と、鋼製枠体３１と室外面材１２との熱伝達を遮断するとともに、ガラスパネル２０を室外側から押える室外側押え部材３７とを備えている。さらに、パネル保持枠３０は、適宜に設置されたシート状の熱膨張黒鉛３８、樹脂製ブロック３９を備えている。
【００２２】
左右の鋼製枠体３１の縦方向（高さ方向）長さは互いに同じであり、上下の鋼製枠体３１の横方向（幅方向）長さは互いに同じである。
下側に位置する横長の鋼製枠体３１は、図５に示すように、枠基部３２と、室外片部３３と、室内片部３４とを有している。
【００２３】
枠基部３２、室外片部３３および室内片部３４は折り曲げ加工によって一体に形成されている。
枠基部３２は、幅方向に延びた板状部材によって構成されている。
室外片部３３は、枠基部３２の室外側端部からガラスパネル２０と平行にその端縁を越えて縦方向内側にガラスパネル２０と幅方向に重なるように延出して形成されている。室外片部３３の先端部３３Ａは、ガラスパネル２０の室外面に向かって折り曲げられ、室内外方向内側に延びている。枠基部３２の室外側端部と先端部３３Ａとの中間部３３Ｂは、室外面材１２に沿って縦方向に延びている。
室内片部３４は、枠基部３２の室内側端部からガラスパネル２０側に向かってガラスパネル２０と幅方向に重ならないよう縦方向内側に延出して形成されている。室内片部３４の縦方向の延出長さは、室外片部３３の縦方向の延出長さよりも短い。かかる枠基部３２、室外片部３３および室内片部３４によって鋼製枠体３１は形成されている。
【００２４】
枠基部３２は、ガラスパネル２０と中間体１４との間に位置し、ガラスパネル２０に対し所定間隔離れて配置されている。室外片部３３は、ガラスパネル２０よりも室外側に位置している。室内片部３４は、ガラスパネル２０よりも室内側に位置し、室内片部３４の先端は、ガラスパネル２０の下側の端縁に対しガラスパネル２０と幅方向に重ならないよう縦方向外側に位置している。
かかる下側の鋼製枠体３１は、中間部３３Ｂで室外面材１２にリベット止めされ、室内片部３４に押え体３５がネジ止めされることで、室外片部３３と押え体３５とによってガラスパネル２０を保持可能となる。ただし、ガラスパネル２０に実際に当接する部材は、後述する室外側押え部材３７の押え部３７Ｂおよび室内側押え部材３５１に装着されたビード３５３である。
【００２５】
上側の鋼製枠体３１および左右の鋼製枠体３１も、前述した下側の鋼製枠体３１と概略同様に形成されているので、図面に適宜同符号を付してこれらの詳細な説明を省略する。ただし、左右の鋼製枠体３１では、枠基部３２が縦方向に延びた板状部材によって構成され、室外片部３３および室内片部３４は、ガラスパネル２０側に向かってガラスパネル２０と平行に横方向内側に延出して形成されている。
上下左右に位置する室外片部３３によって区画される室外側開口の高さ寸法および幅寸法は、ガラスパネル２０の高さ寸法および幅寸法よりも小さい。ここで、上下左右の室外片部３３によって区画される室外側開口の高さ寸法は、上側の室外片部３３の先端から下側の室外片部３３の先端までの高さ寸法を意味し、また、上下左右の室外片部３３によって区画される室外側開口の幅寸法は、右側の室外片部３３の先端から左側の室外片部３３の先端までの幅寸法を意味する。
上下左右に位置する室内片部３４によって区画される室内側開口の高さ寸法および幅寸法は、上下左右に位置する室外片部３３によって区画される室外側開口の高さ寸法および幅寸法よりも大きく、ガラスパネル２０の高さ寸法および幅寸法よりも大きい。ここで、上下左右の室内片部３４によって区画される室内側開口の高さ寸法は、上側の室内片部３４の先端から下側の室内片部３４の先端までの高さ寸法を意味し、また、上下左右の室内片部３４によって区画される室内側開口の幅寸法は、右側の室内片部３４の先端から左側の室内片部３４の先端までの幅寸法を意味する。
【００２６】
押え体３５は四本設けられており、上下左右の鋼製枠体３１にそれぞれネジ止めされている。四本の押え体３５は互いに同様に構成されているため、図面に同符号を付して説明する。なお、図５は下側の鋼製枠体３１に装着された押え体３５を示し、図６は図４の戸先側の鋼製枠体３１に装着された押え体３５を示す。
押え体３５は、ガラスパネル２０の室内面に当接するビード３５３が装着されたアルミ押出し形材製の室内側押え部材３５１と、ガラスパネル２０の室内面と対向する脱落防止鋼製金属部３５２とを備えている。また、室内側押え部材３５１も鋼製とし、脱落防止鋼製金属部３５２と一体に形成してもよい。
【００２７】
室内側押え部材３５１は、図５，６に示すように、取付部３５１Ａと、連結部３５１Ｂと、押え部３５１Ｃとを有して一体に形成されている。
取付部３５１Ａは、室内片部３４に沿って延びて形成され、その室内面材１３側の端部に凹溝部が設けられている。
連結部３５１Ｂは、取付部３５１Ａのガラスパネル２０側の端部から室外側に向かって室内外方向に延びて形成されている。
押え部３５１Ｃは、連結部３５１Ｂの室外側端部からガラスパネル２０の室内面に沿って延びて形成され、その先端部に溝形部が形成されている。押え部３５１Ｃの溝形部にはビード３５３が装着されている。
【００２８】
取付部３５１Ａは、ネジ４０が挿通されて室内片部３４に装着されている。取付部３５１Ａの凹溝部は、室内面材１３に当接し、内額縁５３に係合している。連結部３５１Ｂは、室内片部３４および熱遮断部材３６よりもガラスパネル２０側に位置している。押え部３５１Ｃは、室内片部３４から所定間隔離れて位置している。押え部３５１Ｃの溝形部は内額縁５３に係合している。
室内側押え部材３５１によって区画される室内側開口の高さ寸法および幅寸法は、ガラスパネル２０の高さ寸法および幅寸法よりも小さい。
【００２９】
脱落防止鋼製金属部３５２は、図５，６に示すように、取付部３５２Ａと、連結部３５２Ｂと、延出部３５２Ｃとを有している。
取付部３５２Ａと、連結部３５２Ｂと、延出部３５２Ｃとは折り曲げ加工によって一体に形成された鋼板金具である。
取付部３５２Ａは、室内片部３４に沿って延びて形成されている。
連結部３５２Ｂは、取付部３５２Ａのガラスパネル２０側の端部から室外側に向かって室内外方向に延びて形成されている。
延出部３５２Ｃは、連結部３５２Ｂの室外側端部からガラスパネル２０の室内面に沿って延出して形成されている。
【００３０】
取付部３５２Ａは、室外側で熱遮断部材３６と重ね合わされ、室内側で取付部３５１Ａと重ね合わされ、ネジ４０が挿通している。連結部３５２Ｂは、室内片部３４および熱遮断部材３６よりもガラスパネル２０側に位置し、上側で連結部３５１Ｂに重ね合わされている。延出部３５２Ｃは、室内片部３４から所定間隔離れて位置し、室内側で押え部３５１Ｃに重ね合わされている。かかる延出部３５２Ｃは、室内片部３４からガラスパネル２０と幅方向に重なるように延出してガラスパネル２０の端縁よりも内側に向かって延出した部分を構成している。なお、押え部３５１Ｃの溝形部は、延出部３５２Ｃよりもガラスパネル２０と幅方向に更に多く重なるように延出して位置している。
【００３１】
かかる押え体３５は、ビード３５３をガラスパネル２０の室内面に当接させ、室内片部３４にネジ止めすることで、ガラスパネル２０を室内側から押えるように構成されている。
なお、室内側押え部材３５１には、脱落防止鋼製金属部３５２が貼りつけられており、施工性の向上が図れている。
【００３２】
熱遮断部材３６は、四本の鋼製枠体３１と四つの押え体３５との間にそれぞれ介在されている。熱遮断部材３６は、室内片部３４に沿って延びた断熱性を有する硬質樹脂製の板状部材によって構成されている。熱遮断部材３６は室内片部３４と脱落防止鋼製金属部３５２との間に配置され、ネジ４０が挿通されて室内片部３４に装着されている。かかる熱遮断部材３６は、室内片部３４と脱落防止鋼製金属部３５２との熱伝達を遮断可能に設置されている。
【００３３】
室外側押え部材３７は、四本の鋼製枠体３１と室外面材１２との間にそれぞれ介在されている。室外側押え部材３７は、室外片部３３に沿って延びており、図７に示すように、熱遮断部３７Ａと、押え部３７Ｂと、止水部３７Ｃとを有している。熱遮断部３７Ａ、押え部３７Ｂおよび止水部３７Ｃは一体に形成されている。
【００３４】
熱遮断部３７Ａは、断熱性を有する硬質樹脂製の板状部材によって構成されている。熱遮断部３７Ａのガラスパネル２０側の端部には押え部３７Ｂが接続されており、当該端部に隣接した室外側部分には傾斜面３７１が形成されている。熱遮断部３７Ａには、リベット４１が挿通されて室外面材１２と室外片部３３とに固定されている。
【００３５】
押え部３７Ｂは、軟質樹脂製であり、断面Ｌ字状の基部３７２と、基部３７２の室内側端部に形成された溝形部３７３とを有している。
基部３７２の熱遮断部３７Ａと同方向に延びる部分は、熱遮断部３７Ａよりも肉薄に形成され、当該部分の室内側の面は、熱遮断部３７Ａの室内側の面と面一とされている。
溝形部３７３は、基部３７２よりも肉厚に形成されている。溝形部３７３はガラスパネル２０の室外面に当接している。
止水部３７Ｃは、押え部３７Ｂと同様に軟質樹脂製であり、基部３７２の折曲部３７２Ａから室外側に傾斜して熱遮断部３７Ａに向かって延びて形成されている。止水部３７Ｃは、基部３７２側に向かってＡ方向に弾性変形可能である。従って、止水部３７Ｃは、室外側押え部材３７が室外面材１２と室外片部３３との間に設置された際には、図５，６に示すように弾性変形された状態で基部３７２に沿った状態とされる。この状態では、止水部３７Ｃは、室外面材１２に当接して室外面材１２および室外片部３３間への水の浸入を防止する。他方、止水部３７Ｃは、室外側押え部材３７が室外面材１２と室外片部３３との間から取り外された際には、図７に実線で示すように傾斜した状態に復元する。
【００３６】
かかる室外側押え部材３７では、熱遮断部３７Ａと基部３７２の熱遮断部３７Ａと同方向に延びる部分とが室外片部３３の中間部３３Ｂに当接する、また、基部３７２の室内外方向に延びた部分が室外片部３３の先端部３３Ａに当接する。さらに、溝形部３７３が先端部３３Ａを覆う。このように室外側押え部材３７は室外片部３３に装着される。
【００３７】
熱膨張黒鉛３８は、図３，４に示すように、室外片部３３の室外側の面であって室外側押え部材３７よりも中間体１４側の部分と、枠基部３２のガラスパネル２０側の面と、脱落防止鋼製金属部３５２の連結部３５２Ｂの熱遮断部材３６側の面と、溝形部の室内面材１３側の面とにそれぞれ設置されている。
樹脂製ブロック３９は、図３，４に示すように、下側の鋼製枠体３１の枠基部３２と、左右の鋼製枠体３１の枠基部３２とにそれぞれ設置されている。下側の鋼製枠体３１の枠基部３２に設置された樹脂製ブロック３９は、左右の鋼製枠体３１の枠基部３２に設置された樹脂製ブロック３９よりも肉厚に形成され、ガラスパネル２０を支持するセッティングブロックとして構成されている。
下側の鋼製枠体３１の枠基部３２に設置された熱膨張黒鉛３８は樹脂製ブロック３９を避けて貼り付けされている。また、左右の鋼製枠体３１の枠基部３２に設置された熱膨張黒鉛３８は樹脂製ブロック３９を避けて貼り付けされている。
【００３８】
外額縁５１は、図１に示すように左右の外額縁５２間に配置され、図３に示すようにガラスパネル２０の上下側において室外面材１２およびパネル保持枠３０を室外側から覆って設置されている。
外額縁５２は、図１に示すように縦方向（高さ方向）に延びた左右の通し材として構成され、図４に示すように、扉体１０に設けられた係合具１６に係合し、パネル保持枠３０を室外側から覆って設置されている。
内額縁５３は、図３，４に示すように、上下左右に四本設けられ、互いに断面形状が同一の形材によって構成されている。内額縁５３は、室内側押え部材３５１に係合し、パネル保持枠３０を室内側から覆って設置されている。
【００３９】
かかる外額縁５１，５２および内額縁５３は、鋼製枠体３１に対して非接触状態とされ、これらと鋼製枠体３１との熱伝達が遮断されている。
【００４０】
［実施形態の施工手順］
以下、本実施形態におけるパネル保持枠３０の施工手順の一例について説明する。
先ず、鋼製枠体３１の室外片部３３に室外側押え部材３７を装着し、これを扉体１０の開口の所定位置に配置し、リベット４１により室外片部３３および室外側押え部材３７を室外面材１２に固定する。
次に、ガラスパネル２０を室内側から扉体１０の開口に嵌め込む。この際、室内片部３４に囲まれる室内側開口は、ガラスパネル２０の高さ寸法、幅寸法よりも大きいため、ガラスパネル２０を傾動等させる必要なしに簡単に開口に配置可能である。
【００４１】
次に、室内片部３４、熱遮断部材３６、押え体３５をそれぞれ重ね合わせ、ネジ４０により押え体３５および熱遮断部材３６を室内片部３４にネジ止めする。このネジ止めにより、押え体３５に装着されたビード３５３がガラスパネル２０の室内面に当接して押える一方、室外側押え部材３７の押え部３７Ｂがガラスパネル２０の室外面に当接して押える。このため、ガラスパネル２０は室外片部３３と押え体３５とによって挟持される。
このようにして、パネル保持枠３０を施工し、ガラスパネル２０を保持する。
なお、パネル保持枠３０の施工後、外額縁５１，５２、内額縁５３が適宜設置される。
【００４２】
また、本実施形態におけるガラスパネル２０を交換する場合の手順は以下の通りである。
先ず、内額縁５３を室内側押え部材３５１から取り外す。次にネジ４０を外し、押え体３５を室内片部３４から取り外す。この取り外しにより、室内側開口が室内片部３４で区画されることとなって当該室内側開口の高さ寸法および幅寸法が大きくなるため、ガラスパネル２０の室内側への引き抜きが簡単な状態となる。この状態でガラスパネル２０を室内側に引き抜いて扉体１０の開口から取り去る。
その後、新たなガラスパネル２０を設置する手順は、前述したパネル保持枠３０の施工手順と同様であるため説明を省略する。
【００４３】
［実施形態による効果］
（１）パネル保持枠３０を鋼製枠体３１で構成したので、火災等において熱遮断部材３６、室外側押え部材３７、樹脂製ブロック３９などの各樹脂部品や外額縁５１，５２、内額縁５３などの各アルミ部品が焼失しても、パネル保持枠３０をガラスパネル２０の端縁を囲った状態のまま残存させることができる。つまり、パネル保持枠３０は、室外片部３３および室内片部３４を備えており、室内片部３４には脱落防止鋼製金属部３５２を有する押え体３５を取り付けてガラスパネル２０を挟持しているので、ガラスパネル２０を室外片部３３および室内片部３４間に配置しておくことができる。このため、ガラスパネル２０の脱落などを抑制でき、ドア１の防火性能の安定性を向上できる。また、火災等においてアルミ押出し形材製の室内側押え部材３５１が焼失してしまっても、脱落防止鋼製金属部３５２が室内片部３４にネジ止めされた状態で残存する。このため、ガラスパネル２０の室内側からの脱落をより確実に防止でき、防火性能を向上できる。
また、延出長さが短い室内片部３４に押え体３５を装着してあるので、押え体３５を室内片部３４から取り外すことで室内側開口の高さ寸法および幅寸法を大きくすることができる。このため、室内側からガラスパネル２０を簡単に取り外せる。従って、例えば破損したガラスパネル２０を新たなガラスパネル２０に簡単に交換できる。
さらに、室外片部３３は押え体３５と協働してガラスパネル２０を挟持可能となる程度に長く形成されているため、室外側からガラスパネル２０を取り外すことはできない構成となり、防犯性の向上をも図れる。
（２）押え体３５と室内片部３４との熱伝達は熱遮断部材３６によって遮断されるため、パネル保持枠３０が室内外間の熱橋となることを回避でき、パネル保持枠３０による防火性能を確保しつつ断熱性能を向上できる。
（３）室内側押え部材３５１によって区画される室内側開口の高さ寸法および幅寸法は、押え体３５が取り外された際に室内片部３４によって区画される室内側開口の高さ寸法および幅寸法よりも小さいため、押え体３５により、室内側からガラスパネル２０を確実に押えることができる。
【００４４】
（４）室外側の室外面材１２と室外片部３３との熱伝達は熱遮断部３７Ａによって遮断されるため、パネル保持枠３０が室内外間の熱橋となることを回避でき、パネル保持枠３０による防火性能を確保しつつ断熱性能を向上できる。
また、熱遮断部３７Ａと押え部３７Ｂと一体に形成することで部品点数を削減でき、一つの室外側押え部材３７を所定位置に設置するだけでよいために施工工数をも少なくできる。
（５）熱遮断部３７Ａ、押え部３７Ｂおよび止水部３７Ｃが一体に形成されているため、一つの室外側押え部材３７を設置するだけで、熱遮断部３７Ａおよび押え部３７Ｂの設置に加え、止水部３７Ｃの所定位置への設置をも簡単に行うことができる。
（６）室内片部３４で区画される室内側開口の高さ寸法および幅寸法がガラスパネル２０の高さ寸法および幅寸法よりも大きいため、ケンドン式のパネル設置のようにガラスパネル２０を持ち上げたり傾動させたりする必要がなく、ガラスパネル２０をそのまま室内側に簡単に引き抜くことができる。このため、例えばケンドン式のパネル設置のようにパネルを持ち上げ傾動させるためのガラスパネル２０とパネル枠とのクリアランスを確保する必要をなくすことができ、パネル保持枠３０の小型化を図ることができる。
【００４５】
［変形例］
なお、本発明は以上の実施形態で説明した構成のものに限定されず、本発明の目的を達成できる範囲での変形例は、本発明に含まれる。
例えば、前記実施形態では、パネル保持枠３０は、熱遮断部材３６および室外側押え部材３７の双方を備えているが、これに限定されず、熱遮断部材３６および室外側押え部材３７のうちのいずれか一方または双方を省いてもよい。かかる場合でも、ガラスパネル２０の交換が可能である上、鋼製枠体３１による防火性能の安定性の向上を図れる。
【００４６】
前記実施形態では、押え体３５は、アルミ押出し形材製の室内側押え部材３５１を備えているが、これに限定されず、例えば、鋼製の室内側押え部材３５１を備えていてもよい。この場合、押え体３５は、脱落防止鋼製金属部３５２の構成を兼ねて一体に構成されてもよい。
【００４７】
前記実施形態では、押え体３５は、熱遮断部材３６を介して室内片部３４にネジ止めされているが、これに限定されず、例えばネジ止めとは異なる他の手段によって着脱可能に装着されていてもよい。
【００４８】
前記実施形態では、熱遮断部３７Ａと押え部３７Ｂとが一体に形成された室外側押え部材３７を備えているが、これに限定されず、例えば、室外側押え部材３７に代えて、別体の熱遮断部材を室外面材１２と室外片部３３との間に介在させ、押え部材を室外片部３３に装着してガラスパネル２０の室外面に当接させてもよい。
【００４９】
前記実施形態では、室外側押え部材３７は、止水部３７Ｃを有しているが、これに限定されず、例えば、この止水部３７Ｃの構成が省かれ、熱遮断部３７Ａと押え部３７Ｂとによって構成されていてもよい。
【００５０】
前記実施形態では、室外片部３３は室外側押え部材３７を介して室外面材１２にリベット止めされているが、これに限定されず、例えばネジ止めされていてもよく、また、他の手段により固定されていてもよい。
【００５１】
前記実施形態では、室内片部３４で区画される室内側開口の高さ寸法および幅寸法は、ガラスパネル２０の高さ寸法および幅寸法よりも大きいが、これに限定されない。例えば、室内片部３４で区画される室内側開口の高さ寸法および幅寸法は、ガラスパネル２０の高さ寸法および幅寸法と同等であってもよい。また、室内片部３４で区画される室内側開口の高さ寸法および幅寸法のうちのいずれか一方の寸法は、ガラスパネルの高さ寸法および幅寸法のうちのいずれか一方よりも小さくてもよい。この場合、室内側でのガラスパネル２０の保持性が向上し、火災等において樹脂部品やアルミ部品が焼失しても室内片部３４によりガラスパネル２０の室内側からの脱落をより確実に防止できる。
【００５２】
前記実施形態では、室内片部３４および押え体３５は室内面材１３に固定されていないが、これに限定されない。例えば、室内面材１３が中間体１４よりもガラスパネル２０側に延出して形成された場合、室内片部３４および押え体３５は当該室内面材１３にネジ止め等により取外し可能に取り付けされていてもよい。この場合、室内片部３４と室内面材１３との間には熱遮断部材３６が介在されていてもよく、さらに、押え体３５と室内面材１３との間にも他の熱遮断部材３６が介在されていてもよい。
【００５３】
前記実施形態では、室外片部３３の先端部３３Ａはガラスパネル２０側に折り曲げられているが、これに限定されず、例えば、室外片部３３は、折り曲げられた部分を有さず、枠基部３２の室外側端部から先端部までガラスパネル２０側に延出して形成されていてもよい。この場合、室外側押え部材３７の押え部３７Ｂは、当該室外片部３３の先端部に対応した形状とされる。
【符号の説明】
【００５４】
１…ドア、２，１１…枠体、３…扉、１０…扉体、１２…室外面材、１３…室内面材、１４…中間体、２０…ガラスパネル、３０…パネル保持枠、３１…鋼製枠体、３２…枠基部、３３…室外片部、３４…室内片部、３５…押え体、３５１…室内側押え部材、３５２…脱落防止鋼製金属部、３６…熱遮断部材、３７…室外側押え部材、３７Ａ…熱遮断部、３７Ｂ…押え部、３７Ｃ…止水部、３８…熱膨張黒鉛、３９…樹脂製ブロック、５１，５２…外額縁、５３…内額縁。
【図１】
2015140533.tif 000003
【図２】
2015140533.tif 000004
【図３】
2015140533.tif 000005
【図４】
2015140533.tif 000006
【図５】
2015140533.tif 000007
【図６】
2015140533.tif 000008
【図７】
2015140533.tif 000009